(57)【要約】      （修正有）【課題】土塊の混入による杭の断面欠損をなくし、均一断面の場所打ちコンクリート杭を施工可能な場所打ちコンクリート杭の施工方法を提供する。【解決手段】削孔用ケーシング１を地盤中に圧入する。削孔用ケーシング１内に筒状ネット３を立て込む。筒状ネット３内にコンクリートＢを打設する。筒状ネット３およびコンクリートＢを地盤中に吐出しながら削孔用ケーシング１を地盤中から徐々に引き抜く。【選択図】図５
2014105535.tif 000002
【特許請求の範囲】
【請求項１】
削孔用ケーシングを地盤に圧入する工程、当該削孔用ケーシング内に筒状ネットを建て込む工程、当該筒状ネット内にコンクリートを打設する工程、筒状ネットおよびコンクリートを地盤中に吐出しながら削孔用ケーシングを地盤中から徐々に引き抜く工程からなることを特徴とする場所打ちコンクリート杭の施工方法。
【請求項２】
請求項１記載の場所打ちコンクリート杭の施工方法において、筒状ネットは、伸縮自在なジオテキスタイル、プラスチックまたは布から形成されていることを特徴する場所打ちコンクリート杭の施工方法。
【発明の詳細な説明】
【技術分野】
【０００１】
本発明は、場所打ちコンクリート杭の施工方法に関し、主として孔壁の崩落土や地上に掘りだされた掘削土などが土塊となってコンクリート内に混入することがもとで生じる杭の断面欠損による強度低下を防止することができる。
【背景技術】
【０００２】
場所打ちコンクリート杭の施工方法として、アースオーガー等の掘削機によって削孔した杭孔内にコンクリート(モルタルを含む)を打設して、地盤中にコンクリート杭を造成する場所打ちコンクリート杭の施工方法が知られている。
【先行技術文献】
【特許文献】
【０００３】
【特許文献１】特開２０００−１８４９号公報
【特許文献２】特公平５−３８０９０号公報
【０００４】
上記するような場所打ちコンクリート杭の施工方法では、杭孔を削孔した後に、孔壁の崩落土や地上に掘りだされた掘削土が土塊となって打設直後の未硬化のコンクリート内に混入することがあり、その結果、杭の断面欠損が生じて杭の強度低下を招くおそれがあった。また、杭孔を削孔する際に、孔壁に凹凸ができて杭断面が均一な断面に形成されないおそれもあった。
【０００５】
本発明は、以上の課題を解決するためになされたものであり、土塊の混入による杭の断面欠損をなくし、均一断面の場所打ちコンクリート杭を施工可能な場所打ちコンクリート杭の施工方法を提供することを目的とするものである。
【発明の概要】
【発明が解決しようとする課題】
【０００６】
本発明は、削孔用ケーシングを地盤に圧入する工程、当該削孔用ケーシング内に筒状ネットを立て込む工程、当該筒状ネット内にコンクリートを打設する工程、筒状ネットおよびコンクリートを地盤中に吐出しながら削孔用ケーシングを地盤中から徐々に引き抜く工程からなることを特徴とするものである。
【０００７】
本発明によれば、削孔用ケーシングによって形成した杭孔内にコンクリートを打設して地盤中に場所打ちコンクリート杭を造成する際に、土塊の混入を防止し、これにより断面欠損による杭の強度低下を防止することができ、また、均一な断面の場所打ちコンクリート杭を容易にかつ確実に形成することができる。
【０００８】
なお、削孔用ケーシングには通常の鋼管を利用することでき、筒状ネットは伸縮自在なジテキスタイルやプラスチック、あるいは布等から形成することができるが、伸縮自在でコンクリートの打設時の衝撃に耐え得るものであれば、これらのネットに限定されない。
【発明の効果】
【０００９】
本発明は、特に削孔用ケーシング内に立て込んだ筒状ネットによってコンクリート内に孔壁の崩落土や掘削土が塊となって混入するのを防止でき、これにより土塊の混入がもとで起こる杭の断面欠損による杭の強度低下を防止することができる。
【００１０】
また、杭孔内で伸縮自在な筒状ネットが打設直後のコンクリートによって均等に拡径することにより杭の全長にわたって均一断面の場所打ちコンクリート杭を形成することかできる。
【図面の簡単な説明】
【００１１】
【図１】建設重機のリーターに据付けられた削孔用ケーシングを示す正面図である。
【図２】削孔用ケーシングと筒状ネットを示す斜視図である。
【図３】図３(a),(b)は、場所打ちコンクリート杭を造成する施工手順を示し、図３(a)は削孔用ケーシングを地盤中に圧入する工程、図３(b)は地盤中に圧入した削孔用ケーシング内に筒状ネットを立て込む工程を示す斜視図である。
【図４】図４(a),(b)は、場所打ちコンクリート杭を造成する施工手順を示し、図４(a)は地盤中の削孔用ケーシング内に立て込んだ筒状ネットの中にコンクリートを打設する工程、図４(b)は地盤中から削孔用ケーシングを引き抜く工程を示す斜視図である。
【図５】本発明の施工方法によって造成された場所打ちコンクリート杭を示し、図５(a)はその斜視図、図５(b)はその縦断面図、図５(c)はその横断面図である。
【発明を実施するための形態】
【００１２】
図１〜図５は、本発明に係る場所打ちコンクリート杭の施工方法の一実施形態を示し、図において符号１は、地盤に杭孔を削孔するための削孔用ケーシングであり、下端部に底蓋２が取り付けられている。
【００１３】
底蓋２は削孔用ケーシング１の外径とほぼ同一径に形成され、例えば、削孔用ケーシング１の下端部に粘着テープ等によって取り付けられている。そして、削孔用ケーシング１内のコンクリートＢの重みによって簡単に脱落し、削孔用ケーシング１を引き抜く際に杭孔Ａ内にコンクリートと共に埋設される。
【００１４】
符号３は削孔用ケーシング１内に立て込まれる筒状ネットであり、削孔用ケーシング１の内径より若干小径に形成され、かつ削孔用ケーシング１内にその全長に渡って立て込まれる。
【００１５】
また、筒状ネット３は、削孔用ケーシング１内に打設されるコンクリートのセメントスラリーや水は透すが、土や粘土は透しにくい網目(2〜3ｍｍ程度)を有する伸縮自在なジオテキスタイル、プラスチックあるいは布等から自立可能な筒状に形成されている。
【００１６】
符号４は、削孔用ケーシング１を地盤中に圧入するための建設重機であり、削孔用ケーシング１を鉛直に支持するリーダー５、リーダー５に沿って昇降し、削孔用ケーシング１を回転させながら地盤中に圧入するオーガーモーター６およびオーガーモーター６の回転力を削孔用ケーシング１に伝えるヤットコ７を備えている。
【００１７】
このような構成において、本発明の場所打ちコンクリート杭を造成する施工手順を説明する。
【００１８】
(1) 最初に、場所打ちコンクリート杭を造成する地点に掘孔用ケーシング１を建設重機４に設置して鉛直に立て付ける。この場合、削孔用ケーシング１は、建設重機４のリーダー５に沿わせて杭の施工地点に鉛直に立て付ける。そして、削孔用ケーシング１の上端部をオーガーモーター６にヤットコ７を介して接続する。
【００１９】
(2) 次に、オーガーモーター６を作動させて削孔用ケーシング１を回転させながら地盤中に圧入することにより杭孔Ａを形成する。
【００２０】
なお、削孔用ケーシング１によって杭孔Ａを形成する間、削孔用ケーシング１の下端部は底蓋２によって塞がれていることにより削孔用ケーシング１内に掘削土が入り込むことはない。
【００２１】
(3) 次に、杭孔Ａが所定の深さに達したら、ケーシング１の上端部をオーガーモーター６から一時切り離す。そして、ケーシング１内に筒状ネット３を立て込み、必要に応じて補強筋(図省略)配筋し、そしてコンクリートＢを打設する。
【００２２】
なお、筒状ネット３を削孔用ケーシング１内に予め立て込み、かつ削孔用ケーシング１の内側に接着材などで簡単に離脱するように仮付けしておけば、筒状ネット３を削孔用ケーシング１と共に地盤中に設置することができ、筒状ネット３の立て込み工程を省略することができる。
【００２３】
また、補強筋はかご状に組み立てられたものを配筋することにより配筋作業を効率的に行うことができる。さらに、コンクリートＢには流動性の高いコンクリートまたはモルタルを用いることによりコンクリートの充填性がよくなり望ましい。
【００２４】
(4) 次に、削孔用ケーシング１の上端部をオーガーモーター６にヤットコ７を介して再び接続する。そして、オーガーモーター６を作動させて削孔用ケーシング１を逆回転させながら地盤中から徐々に引き上げる。
【００２５】
そうすると、削孔用ケーシング１内の筒状ネット３とコンクリートＢの重みによって底蓋  ２が杭孔Ａの底に脱落し、同時に筒状ネット３とコンクリートＢが削孔用ケーシング１の下端部から杭孔Ａ内に吐出され、杭孔Ａ内に充填されることにより杭孔Ａ内に場所打ちコンクリートによる基礎杭が形成される。  
【００２６】
なおこの場合、特に筒状ネット３が伸縮自在なジオテキスタイル等から形成されていることにより、打設直後のコンクリートＢが杭孔Ａ内でその自重によって均等に拡径することにより均一断面の場所打ちコンクリート杭を形成することができる。
【００２７】
また、削孔用ケーシング１を引き抜く際に、削孔用ケーシング１を介してコンクリートＢに振動を付与することによりコンクリートＢを杭孔Ａ内に均一にかつ緻密に充填することができる。さらに、削孔用ケーシング１を引き抜く工程において、必要により削孔用ケーシング１内にコンクリートＢを追加打設することもある。
【００２８】
以上の施工手順により、地盤中に均一断面の場所打ちコンクリート杭を確実かつ容易に形成することができる。
【産業上の利用可能性】
【００２９】
本発明は、孔壁の崩落土や地上に掘りだされた掘削土からなる土塊の混入が原因で生じる杭の断面欠損による強度低下を未然に防止することができる。
【符号の説明】
【００３０】
１  削孔用ケーシング
２  底蓋
３  筒状ネット
４  建設重機
５  リーダー
６  オーガーモーター
７  ヤットコ
【図１】
2014105535.tif 000003
【図２】
2014105535.tif 000004
【図３】
2014105535.tif 000005
【図４】
2014105535.tif 000006
【図５】
2014105535.tif 000007